(57)【要約】【課題】表示装置と情報処理装置との接続を行うための案内画面を適切に表示する表示装置を提供する。【解決手段】プロジェクター１００は、画像を投射する画像投射部５０と、無線通信を介して接続可能な情報処理装置２００を検出する第１通信部１８０と、第１通信部１８０が情報処理装置２００を検出すると、プロジェクター１００と情報処理装置２００とが接続するために必要な操作を含むガイダンス画像を画像投射部５０に投射させる制御部１６０と、を備える。【選択図】図１
2019041250.tif 000002
【特許請求の範囲】
【請求項１】
表示装置であって、
画像を表示する表示部と、
無線通信を介して接続可能な情報処理装置を検出する検出部と、
前記検出部が前記情報処理装置を検出すると、前記表示装置と前記情報処理装置とが接続するために必要な操作を含む案内画像を前記表示部に表示させる制御部と、を備えることを特徴とする表示装置。
【請求項２】
請求項１に記載の表示装置において、
前記検出部は、前記表示装置から所定の距離内に所在する前記情報処理装置を検出することを特徴とする表示装置。
【請求項３】
請求項１乃至２のいずれかに記載の表示装置において、
前記制御部は、前記検出部が検出した前記情報処理装置と前記表示装置とが接続したことがあるか、否かを判定し、前記情報処理装置と接続したことがある場合、前記案内画像を前記表示部に表示させ、前記情報処理装置と接続したことがない場合、前記案内画像を前記表示部に表示させないことを特徴とする表示装置。
【請求項４】
請求項１乃至２のいずれかに記載の表示装置において、
前記制御部は、前記検出部が検出した前記情報処理装置と接続したことがあるか、否かを判定し、判定した結果に基づいて、前記表示部に表示させる前記案内画像を決定することを特徴とする表示装置。
【請求項５】
請求項１乃至４のいずれか１項に記載の表示装置において、
前記制御部は、前記検出部が検出した前記情報処理装置を登録している場合、前記案内画像を前記表示部に表示させることを特徴とする表示装置。
【請求項６】
請求項１乃至５のいずれか１項に記載の表示装置において、
前記制御部は、前記検出部が検出した前記情報処理装置と接続可能な接続方式が所定の方式である場合、前記案内画像を前記表示部に表示させることを特徴とする表示装置。
【請求項７】
請求項１乃至６のいずれか１項に記載の表示装置において、
前記制御部は、前記表示部が前記画像を表示している場合、前記案内画像を前記表示部に表示させないことを特徴とする表示装置。
【請求項８】
請求項１乃至６のいずれか１項に記載の表示装置において、
前記制御部は、前記表示部における前記画像の表示状態に応じて、前記案内画像を前記表示部に表示させることを特徴とする表示装置。
【請求項９】
請求項１乃至８のいずれか１項に記載の表示装置において、
前記制御部は、前記検出部が検出した前記情報処理装置を検出できなくなった場合、前記表示部に表示していた前記案内画像の表示を終了することを特徴とする表示装置。
【請求項１０】
請求項１乃至９のいずれか１項に記載の表示装置において、
接続した前記情報処理装置から送信される前記画像のデータを受信する受信部を備えることを特徴とする表示装置。
【請求項１１】
表示装置の制御方法であって、
無線通信を介して接続可能な情報処理装置を検出した場合、前記表示装置と前記情報処理装置とが接続するために必要な操作を含む案内画像を表示することを特徴とする表示装置の制御方法。
【発明の詳細な説明】
【技術分野】
【０００１】
本発明は、表示装置および表示装置の制御方法に関する。
【背景技術】
【０００２】
従来より、下記特許文献１に示すように、動作設定、確認メニュー、ガイダンス、動作状態、処理結果等に関する表示情報を記憶しておき、制御部からの指令に基づいて、これらの情報を表示する表示装置が知られている。例えば、情報処理装置と無線通信を介して接続できる表示装置は、リモコンや操作ボタン等の操作に基づいて、情報処理装置と接続する方法を案内するガイダンス画面を表示できる。これにより、ユーザーは、表示されたガイダンス画面を参照することで、表示装置と情報処理装置との接続を迅速かつ容易に行うことができる。
【先行技術文献】
【特許文献】
【０００３】
【特許文献１】特開２００６−２９３１２１号公報
【発明の概要】
【発明が解決しようとする課題】
【０００４】
しかしながら、表示装置にガイダンス画面を表示させる方法を知らないユーザーは、製本された操作マニュアルの中から接続方法に関する説明箇所を検索し、検索した説明箇所を参照して接続設定を行う必要があり、操作マニュアルの中から所望の説明箇所を見つけるのに時間と手間を要し、操作の利便性を損なった。
本発明は、上述の課題に鑑みてなされたものであり、表示装置と情報処理装置との接続を行うためのガイダンス画面を適切に表示することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる表示装置は、表示装置であって、画像を表示する表示部と、無線通信を介して接続可能な情報処理装置を検出する検出部と、前記検出部が前記情報処理装置を検出すると、前記表示装置と前記情報処理装置とが接続するために必要な操作を含む案内画像を前記表示部に表示させる制御部と、を備えることを特徴とする。
【０００７】
このような構成によれば、表示装置は、無線通信を介して接続可能な情報処理装置を検出すると、情報処理装置と接続するために必要な操作を含む案内画像を表示部に表示する。これにより、表示された案内画像に従って情報処理装置と接続するために必要な操作を行えるため、表示装置と情報処理装置との接続を容易かつ迅速に行うことができ、利便性が向上する。
【０００８】
［適用例２］
上記適用例にかかる表示装置において、前記検出部は、前記表示装置から所定の距離内に所在する前記情報処理装置を検出することが好ましい。
【０００９】
このような構成によれば、表示装置は、所定の距離内に情報処理装置を検出した場合、案内画像を表示するため、情報処理装置に応じた案内画像を適切に表示することができる。
【００１０】
［適用例３］
上記適用例にかかる表示装置において、前記制御部は、前記検出部が検出した前記情報処理装置と前記表示装置とが接続したことがあるか、否かを判定し、前記情報処理装置と接続したことがある場合、前記案内画像を前記表示部に表示させ、前記情報処理装置と接続したことがない場合、前記案内画像を前記表示部に表示させないことが好ましい。
【００１１】
このような構成によれば、表示装置は、検出した情報処理装置と接続したことがある場合には案内画像を表示させ、検出した情報処理装置と接続したことがない場合には案内画像を表示させないことができる。
【００１２】
［適用例４］
上記適用例にかかる表示装置において、前記制御部は、前記検出部が検出した前記情報処理装置と接続したことがあるか、否かを判定し、判定した結果に基づいて、前記表示部に表示させる前記案内画像を決定することが好ましい。
【００１３】
このような構成によれば、表示装置は、検出した情報処理装置との接続履歴に応じて案内画像を表示させることができ、ユーザーが意図している接続方法に関する案内画像が表示され易くなり、利便性が向上する。
【００１４】
［適用例５］
上記適用例にかかる表示装置において、前記制御部は、前記検出部が検出した前記情報処理装置を登録している場合、前記案内画像を前記表示部に表示させることが好ましい。
【００１５】
このような構成によれば、表示装置は、情報処理装置を登録している場合に案内画像を表示させることができ、ユーザーが意図している接続方法に関する案内画像が表示され易くなり、利便性が向上する。
【００１６】
［適用例６］
上記適用例にかかる表示装置において、前記制御部は、前記検出部が検出した前記情報処理装置と接続可能な接続方式が所定の方式である場合、前記案内画像を前記表示部に表示させることが好ましい。
【００１７】
このような構成によれば、表示装置は、情報処理装置と所定の接続方式で接続する場合に案内画像を表示させることができる。
【００１８】
［適用例７］
上記適用例にかかる表示装置において、前記制御部は、前記表示部が前記画像を表示している場合、前記案内画像を前記表示部に表示させないことが好ましい。
【００１９】
このような構成によれば、表示部で表示している画像が案内画像により視認性が低下することを回避できる。
【００２０】
［適用例８］
上記適用例にかかる表示装置において、前記制御部は、前記表示部における前記画像の表示状態に応じて、前記案内画像を前記表示部に表示させることが好ましい。
【００２１】
このような構成によれば、表示部で表示している画像の表示状態に応じて案内画像を表示するため、表示部による表示を最適化できる。
【００２２】
［適用例９］
上記適用例にかかる表示装置において、前記制御部は、前記検出部が検出した前記情報処理装置を検出できなくなった場合、前記表示部に表示していた前記案内画像の表示を終了することが好ましい。
【００２３】
このような構成によれば、表示装置は、検出部が検出した情報処理装置を検出できなくなった場合、案内画像を表示させないことができる。
【００２４】
［適用例１０］
上記適用例にかかる表示装置において、接続した前記情報処理装置から送信される前記画像のデータを受信する受信部を備えることが好ましい。
【００２５】
このような構成によれば、表示装置は、接続した情報処理装置から画像のデータを取得できる。
【００２６】
［適用例１１］
本適用例にかかる表示装置の制御方法は、表示装置の制御方法であって、無線通信を介して接続可能な情報処理装置を検出した場合、前記表示装置と前記情報処理装置とが接続するために必要な操作を含む案内画像を表示することを特徴とする。
【００２７】
このような方法によれば、表示装置は、無線通信を介して接続可能な情報処理装置を検出すると、情報処理装置と接続するために必要な操作を含む案内画像を表示部に表示する。これにより、表示された案内画像に従って情報処理装置と接続するために必要な操作を行えるため、表示装置と情報処理装置との接続を容易かつ迅速に行うことができ、利便性が向上する。
【図面の簡単な説明】
【００２８】
【図１】実施形態に係る画像表示システムの構成を示す図。
【図２】情報処理装置の構成を示す図。
【図３】プロジェクターがガイダンス画像を投射する処理を示すフローチャート。
【図４】投射画像にＯＳＤ画像が重畳して投射された一例を示す図。
【図５】ガイダンス情報決定処理を示すフローチャート。
【発明を実施するための形態】
【００２９】
以下、本発明の実施形態について図面を参照して説明する。
【００３０】
（実施形態）
図１は、画像表示システム１０の構成を示す図である。
画像表示システム１０は、表示装置としてのプロジェクター１００、および、情報処理装置２００を備えて構成される。プロジェクター１００と情報処理装置２００とは、通信を介して接続可能である。
プロジェクター１００は、情報処理装置２００から供給される画像データに基づく画像をスクリーンＳＣに投射できる。
【００３１】
プロジェクター１００は、第１通信部１８０および第２通信部１８５を備える。
第１通信部１８０は、Ｂｌｕｅｔｏｏｔｈ（登録商標）やＢｌｕｅｔｏｏｔｈ  Ｌｏｗ  Ｅｎｅｒｇｙ（登録商標）のような近距離無線通信に対応する通信インターフェイスを備え、これらの通信インターフェイスに対応する情報処理装置２００との間で電波２７０を伝送媒体として通信を行う。本実施形態では、第１通信部１８０は、近距離無線通信を介して接続可能な情報処理装置２００を検出する検出部に相当する。即ち、第１通信部１８０は、制御部１６０の指示に基づいて、Ｂｌｕｅｔｏｏｔｈ等の所定のプロトコルに基づく探索信号をブロードキャストにて送信し、探索信号に対応する応答信号を受信した情報処理装置２００の情報を制御部１６０に出力する。
【００３２】
周知のように、ＢｌｕｅｔｏｏｔｈやＢｌｕｅｔｏｏｔｈ  Ｌｏｗ  Ｅｎｅｒｇｙによる通信可能範囲は、数メートル程度である。従って、応答信号を送信した情報処理装置２００は、プロジェクター１００から数メートルのような所定の距離内に所在し、プロジェクター１００が投射する画像は情報処理装置２００の位置から視認可能であると想定できる。
第２通信部１８５は、ＷｉＦｉ（登録商標）のような無線ＬＡＮに対応する通信インターフェイスや、スクリーンミラーリングに対応する通信インターフェイスを備え、ネットワーク２５０を介して情報処理装置２００と電波２６０を伝送媒体として接続される。尚、第２通信部１８５による通信可能エリアは、第１通信部１８０による通信可能エリアよりも広域であっても良い。
【００３３】
この第２通信部１８５は、接続した情報処理装置２００からプロジェクター１００で投射する画像のデータを受信する受信部として機能する。第２通信部１８５が受信した画像データは画像処理部１５２に送られる。また、第２通信部１８５は、接続した情報処理装置２００に対して各種データを送信することも可能である。
尚、第１通信部１８０は、電波２７０による通信には限定されず、赤外光や超音波等を伝送媒体とした通信も想定できる。また、第２通信部１８５は、Ｅｔｈｅｒｎｅｔ（登録商標）、ＩＥＥＥ１３９４、ＨＤＭＩ（登録商標）、ＵＳＢ等の有線接続であっても良い。また、第１通信部１８０および第２通信部１８５は、何れも図示を略した、ＣＰＵ等のプロセッサー、ＲＡＭ等の記憶媒体とソフトウェアとが協働して機能する通信装置であっても良い。また、第１通信部１８０および第２通信部１８５は、複数の通信インターフェイスを備えた１台の通信装置であっても良い。
【００３４】
プロジェクター１００は、光学的な画像の形成を行い、スクリーンＳＣに画像を投射（表示）する画像投射部５０を備える。画像投射部５０は、画像を表示する表示部に相当し、光源としての光源部５５、光変調部８０及び投射光学系９０を備える。
光源部５５は、光源駆動部１２１により駆動される。光源駆動部１２１は、内部バス１８８に接続される。光源駆動部１２１は、制御部１６０の制御に従って、光源部５５の光源を点灯及び消灯させる。光源が点灯すると第１の光である出射光Ｌ１が光変調部８０に入光される。尚、光源は、キセノンランプ、超高圧水銀ランプ、ＬＥＤ（Ｌｉｇｈｔ  Ｅｍｉｔｔｉｎｇ  Ｄｉｏｄｅ）、レーザー光源等を想定する。
【００３５】
光変調部８０には光変調駆動部１２２が接続される。光変調駆動部１２２は、内部バス１８８に接続される。尚、光変調部８０は、一対の透明基板間に液晶が封入された液晶パネル等が３原色である赤色（Ｒ）、緑色（Ｇ）、青色（Ｂ）の色光成分に対応して構成された不図示の液晶ライトバルブを備えた態様を想定する。
光変調駆動部１２２は、画像処理部１５２から入力される表示画像データに基づいてＲ，Ｇ，Ｂの画像信号をそれぞれに生成する。光変調駆動部１２２は、生成したＲ，Ｇ，Ｂの画像信号に基づいて、光変調部８０の対応する液晶ライトバルブを駆動し、Ｒ，Ｇ，Ｂに対応した画像を形成する。更に、光変調部８０は、Ｒ，Ｇ，Ｂに対応した画像を不図示の色合成光学系によって合成し、カラー画像である画像光Ｌ２を生成する。
【００３６】
投射光学系９０は、光変調部８０が生成した画像光Ｌ２をスクリーンＳＣ方向へ投射して、スクリーンＳＣ上に結像させるレンズ群を備える。また、投射光学系９０は、スクリーンＳＣに投射した画像の拡大・縮小及び焦点の調整を行うズーム機構、フォーカスの調整を行うフォーカス調整機構を備えていてもよい。
プロジェクター１００は、操作パネル１３１及び操作処理部１３３を備える。操作処理部１３３は、内部バス１８８に接続される。
【００３７】
ユーザーからの操作を受け付ける操作パネル１３１には、各種の操作キーや、液晶装置８５にて構成された表示画面が表示される。操作処理部１３３は、操作パネル１３１に表示された操作キーが操作されると、操作されたキーに対応したデータを制御部１６０に出力する。また、操作処理部１３３は、制御部１６０の制御に従って、操作パネル１３１に各種画面を表示させる。
また、操作パネル１３１には、操作パネル１３１への接触を検出するタッチセンサーが重ね合わされて一体形成されても良い。操作処理部１３３は、ユーザーの指等が接触した操作パネル１３１の位置を入力位置として検出し、検出した入力位置に対応したデータを制御部１６０に出力する。
【００３８】
また、プロジェクター１００は、ユーザーが操作するリモコン５からの種々の動作指示を受け付ける。本実施形態では、リモコン５は、プロジェクター１００とは別体の外部の機器であり、操作指示ボタン６を備えている。例えば、プロジェクター１００がページ単位で表示するコンテンツの画像を投射している場合、ユーザーが操作指示ボタン６を押下すると、プロジェクター１００は、押下した操作指示ボタン６に応じて、投射するページを変更できる。また、プロジェクター１００がコンテンツの画像を投射していない場合、ユーザーが操作指示ボタン６を押下すると、プロジェクター１００は、押下した操作指示ボタン６に応じて、操作に必要な画像を表示する。
【００３９】
プロジェクター１００は、ユーザーが使用するリモコン５から送信される赤外線信号を受光するリモコン受光部１３２を備える。リモコン受光部１３２は、操作処理部１３３に接続される。
リモコン受光部１３２は、リモコン５から送信される赤外線信号を受光する。操作処理部１３３は、リモコン受光部１３２が受光した赤外線信号をデコードして、リモコン５における操作内容を示すデータを生成し、制御部１６０に出力する。
【００４０】
プロジェクター１００は、状態検出部１４０を備える。状態検出部１４０は、プロジェクター１００が内蔵するカメラ１４２が出力する信号が入力される。
状態検出部１４０は、入力された信号に基づきプロジェクター１００の状態を示す状態情報を生成し、制御部１６０に出力する。例えば、プロジェクター１００が傾斜している場合、制御部１６０は、状態情報に基づいて台形補正を指示する。
カメラ１４２は、撮像光学系、ＣＣＤのような撮像素子及びインターフェイス回路等を有し、スクリーンＳＣの周辺、即ち、投射光学系９０の投射方向を撮影する。カメラ１４２は、撮影した画像データ信号を状態検出部１４０に出力する。
【００４１】
プロジェクター１００は、画像処理系を備える。画像処理系は、プロジェクター１００の全体を統括的に制御する制御部１６０を中心に構成され、この他に、画像処理部１５２、フレームメモリー１５５、ＯＳＤ処理部１５８および記憶部１７０を備える。制御部１６０、画像処理部１５２、ＯＳＤ処理部１５８および記憶部１７０は、内部バス１８８に接続される。
【００４２】
画像処理部１５２は、制御部１６０の制御に従って、第２通信部１８５から入力される画像データをフレームメモリー１５５に展開する。画像処理部１５２は、フレームメモリー１５５に展開された画像データに対して、台形補正等の形状補正処理、デジタルズーム処理、画像の色合いや明るさの調整等の処理を行う。画像処理部１５２は、制御部１６０により指定された処理を実行し、必要に応じて、制御部１６０から入力されるパラメーターを使用して処理を行う。また、画像処理部１５２は、上記のうち複数の処理を組み合わせて実行することも勿論可能である。
【００４３】
画像処理部１５２は、処理後の画像データをフレームメモリー１５５から読み出し、表示画像データとして光変調駆動部１２２に出力する。また、画像処理部１５２は、投射している画像上に、メニュー画像やメッセージ画像等のＯＳＤ（オンスクリーンディスプレイ）画像を重畳して表示する場合、処理後の画像データをフレームメモリー１５５から読み出し、表示画像データとしてＯＳＤ処理部１５８に出力する。
ＯＳＤ処理部１５８は、制御部１６０からの指示に基づいて、投射している画像上に、メニュー画像やメッセージ画像等のＯＳＤ（オンスクリーンディスプレイ）画像を重畳して表示するための処理を行う。ＯＳＤ処理部１５８は、ＯＳＤ画像を形成するための図形やフォント等を表すＯＳＤ画像情報を記憶部１７０に記憶している。
【００４４】
ＯＳＤ処理部１５８は、ＯＳＤ画像の重畳表示を指示されると、必要なＯＳＤ画像情報を記憶部１７０から読み出し、投射している画像上の所定の位置にＯＳＤ画像が重畳されるように、画像処理部１５２から入力される画像データにＯＳＤ画像を合成する。ＯＳＤ画像情報が合成された画像データは、光変調駆動部１２２に出力される。
電源部１９０は、外部の電源１９５から供給される電力を所定の特性値に変換し、各機能部に供給する。
制御部１６０は、何れも図示を略した、ＣＰＵ（Ｃｅｎｔｒａｌ  Ｐｒｏｃｅｓｓｉｎｇ  Ｕｎｉｔ）等のプロセッサー、各種データの一時記憶等に用いられるＲＡＭ、および、マスクＲＯＭやフラッシュメモリー、強誘電体メモリー等の不揮発性のメモリー等（いずれも図示せず）を備え、コンピューターとして機能するものである。この制御部１６０は、プロセッサーが不揮発性のメモリーや記憶部１７０に記憶されている制御プログラムに従って動作することにより、言い換えると、ハードウェアとソフトウェアとが協働することにより、制御部１６０が有する機能部を実現し、プロジェクター１００の動作を統括して制御する。尚、１つのプロセッサーで制御部１６０の機能を実現しても良いし、複数のプロセッサーで制御部１６０の機能を実現しても良い。
【００４５】
また、制御部１６０は、リモコン５から送られる操作内容に基づいて、各機能の実行を制御する。また、制御部１６０は、リモコン５から送られた操作内容が、情報処理装置２００に対する操作である場合、操作内容を示すデータを生成し、第２通信部１８５から情報処理装置２００に送信する。
また、制御部１６０は、機能部として、投射制御部１６１およびガイダンス表示制御部１６３を備える。これらの機能部は、何れも図示を略した、プロセッサーと、ＲＯＭや記憶部１７０に記憶された制御プログラムと、が協働することで実現される。
【００４６】
記憶部１７０は、不揮発性の記憶装置であり、例えば、フラッシュメモリー、ＥＰＲＯＭ（Erasable Programmable ROM）、ＥＥＰＲＯＭ（Electrically EPROM）、ＨＤＤ（Hard Disc Drive）などの記憶装置により実現される。また、記憶部１７０は、画像投射部５０によりスクリーンＳＣに投射させる画像データ、制御部１６０が参照する各データやパラメーターを記憶する。本実施形態では、記憶部１７０は、ガイダンス画像を含むガイダンス情報を示すガイダンスデータ１７２や、プロジェクター１００の第２通信部１８５が情報処理装置２００と接続した履歴等を示す接続履歴データ１７４を記憶する。
【００４７】
投射制御部１６１は、画像投射部５０における画像の表示態様を調整し、スクリーンＳＣへの画像の投射を制御する。
具体的には、投射制御部１６１は、画像処理部１５２を制御して、第２通信部１８５が受信した描画データに対する画像処理を実行させる。この際、投射制御部１６１は、画像処理部１５２が処理に必要なパラメーターを記憶部１７０から読み出して、画像処理部１５２に出力してもよい。
また、投射制御部１６１は、光源駆動部１２１を制御して光源部５５の光源を点灯させ、光源部５５に対して光源の輝度を指示する。
【００４８】
ガイダンス表示制御部１６３は、第１通信部１８０に対して情報処理装置２００の検出を指示し、第１通信部１８０が情報処理装置２００を検出すると、検出した情報処理装置２００と接続するために必要な操作を含む画像の表示を制御する制御部として機能する。
本実施形態では、ガイダンス表示制御部１６３は、プロジェクター１００から所定の距離内（より詳細には、第１通信部１８０から所定の距離内）に所在する情報処理装置２００と通信できた場合、情報処理装置２００とプロジェクター１００（より詳細には、第２通信部１８５）が接続するために必要な操作を含むガイダンス画像（案内画像）をガイダンスデータ１７２から取得し、取得したガイダンス画像を画像投射部５０に投射させる。尚、ガイダンス表示制御部１６３は、所定の距離内に所在する情報処理装置２００と通信できた場合であっても、ガイダンス画像を画像投射部５０に投射させないように選択することも可能である。
また、本実施形態では、ガイダンス表示制御部１６３は、ガイダンス画像を画像投射部５０に投射させる場合、以下の機能の少なくとも１つを選択的に実行させることもできる。
【００４９】
（１）ガイダンス表示制御部１６３は、検出した情報処理装置２００が接続履歴データ１７４に記憶されているか、否かを判定し、判定した結果に基づいてガイダンス画像の投射を決定する。例えば、ガイダンス表示制御部１６３は、情報処理装置２００と接続したことが有り、接続履歴データ１７４に記憶されていると判定した場合、ガイダンス画像を投射させる。他方で、情報処理装置２００と接続したことが無く、接続履歴データ１７４に記憶されていないと判定した場合、ガイダンス画像を投射させない。また、ガイダンス表示制御部１６３は、接続履歴データ１７４に対する記憶の有無に応じて、投射させるガイダンス画像を切り替えても良い。
（２）ガイダンス表示制御部１６３は、ガイダンス画像を投射する情報処理装置２００を予め登録している場合、ガイダンス画像を投射させる。
【００５０】
（３）ガイダンス表示制御部１６３は、第２通信部１８５が情報処理装置２００と接続可能な通信インターフェイスが予め決められた方式である場合、ガイダンス画像を投射させる。
（４）ガイダンス表示制御部１６３は、画像を投射中に情報処理装置２００を検出した場合、投射している画像の表示状態に応じて、ガイダンス画像を投射する態様を決める。例えば、画像を投射している場合にはガイダンス画像は投射させない。また、画像を投射している場合、投射中の画像に替えてガイダンス画像を投射させる。また、画像を投射している場合、ガイダンス画像の大きさを縮小して投射させる。また、画像を投射している場合、情報処理装置２００の検出をＯＳＤ表示を用いてユーザーに報知しても良い。
【００５１】
（５）ガイダンス表示制御部１６３は、検出した情報処理装置２００に対応するガイダンス画像を一度に全て投射させる。また、一度に投射できない場合には、初めて接続する通信インターフェイスのガイダンス画像を最初に投射させ、他のガイダンス画像をリモコン５の操作で切り替え可能とする。
（６）ガイダンス表示制御部１６３は、ガイダンス画像を投射しているときに、情報処理装置２００との通信が不通になった場合、ガイダンス画像の投射を終了させる。
【００５２】
図２は、プロジェクター１００と接続される情報処理装置２００の構成を示す構成図である。
情報処理装置２００は、第１通信部２１０、第２通信部２１５、記憶部２３０、制御部２２０、タッチパネル２４０を備える。
本実施形態では、情報処理装置２００は、例えば、スマートフォンのような高機能携帯電話や、タブレット端末のような多機能携帯端末を想定する。
【００５３】
第１通信部２１０は、Ｂｌｕｅｔｏｏｔｈ（登録商標）のような近距離無線通信に対応する通信インターフェイスを備え、Ｂｌｕｅｔｏｏｔｈによる通信インターフェイスに対応するプロジェクター１００との間で通信を行う。本実施形態では、第１通信部２１０は、Ｂｌｕｅｔｏｏｔｈに基づく探索信号を受信した場合、受信した探索信号に対応する応答信号を送信する。尚、応答信号には、情報処理装置２００の名称、ＭＡＣアドレスおよび対応可能な接続方法等の情報を含んでいる。
第２通信部２１５は、無線通信を介してプロジェクター１００との間でデータを送受信する。例えば、第２通信部２１５は、プロジェクター１００で投射する画像データを送信する機能を有する。
【００５４】
記憶部２３０は、画像や文書を示すファイル形式のコンテンツデータや、情報処理装置２００で実行可能なアプリケーション等のプログラムデータを記憶する。アプリケーションは、プロジェクター１００を操作するための操作プログラムや、所定の機能を実現するためのアプリケーションプログラムを想定する。本実施形態では、記憶部２３０は、例えば、フラッシュメモリー等を想定する。
【００５５】
タッチパネル２４０は、アプリケーションプログラムのユーザーインターフェイスを含む画像を表示し、ユーザーインターフェイスに対するユーザーの指示を受け付ける。
制御部２２０は、情報処理装置２００の各機能部の動作を制御する。
制御部２２０は、機能ブロックとして、指示受付部２２２および投射画像生成部２２４を備える。
指示受付部２２２は、ユーザーがタッチパネル２４０を介して操作した操作内容を解析し、操作内容に基づく指示を受け付ける。このような指示は、例えば、プロジェクター１００で投射する画像に対する操作を想定できる。制御部２２０は、受け付けた指示に基づいて、各機能部に対して所定の動作を指示する。
【００５６】
投射画像生成部２２４は、制御部２２０の指示に基づいて、プロジェクター１００で投射可能な画像データを生成する。例えば、実行中のアプリケーションプログラムがプロジェクター１００で投射可能な画像をタッチパネル２４０に表示し、ユーザーが投射可能な画像の中から所望の画像を指示した場合、投射画像生成部２２４は、指示した画像をプロジェクター１００が投射可能な形式で画像データを生成する。生成された画像データは、第２通信部２１５からプロジェクター１００に送信される。
制御部２２０は、例えば、何れも図示を略した、プロセッサー、ＲＡＭ、ＲＯＭ等を備えるコンピューターにより実現してもよい。コンピューターは、画像処理回路など各種の専用処理回路を備えていてもよい。また、制御部２２０は、ＡＳＩＣ（Application Specific Integrated Circuit）等により実現されてもよい。
【００５７】
制御部２２０の各機能は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現しても良く、あるいは、ハードウェアで実現される機能の一部をソフトウェアで実現しても良い。
【００５８】
次に、図３は、プロジェクター１００がガイダンス画像を投射する処理（制御方法）の流れを示すフローチャートである。
尚、以下の説明では、第２通信部１８５と、情報処理装置２００とを接続する複数の無線接続方式は、無線ＬＡＮおよびスクリーンミラーリングの何れかであることを想定する。従って、投射するガイダンス画像は、無線ＬＡＮにより接続するためのガイダンス画像、およびスクリーンミラーリングにより接続するためのガイダンス画像の何れかである。
【００５９】
また、この処理は、プロジェクター１００の電源部１９０に電源が供給されたり、ガイダンス画像の表示設定が変更された場合に実行される。従って、ガイダンス画像の表示設定に関して無効が選択されている場合には実行されない。
この処理が開始されると、ガイダンス表示制御部１６３は、情報処理装置２００を検出するための探索信号を、第１通信部１８０からブロードキャストで送信させる（ステップＳ３００）。
次に、ガイダンス表示制御部１６３は、探索信号に対する応答信号の受信を第１通信部１８０に開始させ、経過時間の計時を開始する（ステップＳ３０２）。
【００６０】
次に、ガイダンス表示制御部１６３は、第１通信部１８０が応答信号を受信したか、否かを判定する（ステップＳ３０４）。
ここで、第１通信部１８０が応答信号を受信していないと判定した場合（ステップＳ３０４でＮｏ）、ステップＳ３１０に進む。
他方で、第１通信部１８０が応答信号を受信したと判定した場合（ステップＳ３０４でＹｅｓ）、ガイダンス表示制御部１６３は、受信した応答信号を解析し、応答信号を送信した情報処理装置２００を特定する（ステップＳ３０６）。
【００６１】
次に、ガイダンス表示制御部１６３は、特定した情報処理装置２００に関する情報を保存し（ステップＳ３０８）、ステップＳ３１０に進む。
ステップＳ３１０では、ガイダンス表示制御部１６３は、計時している経過時間が基準値を超えてタイムアウトしたか、否かを判定する。
ここで、経過時間がタイムアウトしていないと判定した場合（ステップＳ３１０でＮｏ）、ステップＳ３０４に戻る。
【００６２】
他方で、経過時間がタイムアウトしたと判定した場合（ステップＳ３１０でＹｅｓ）、ステップＳ３１２に進む。
ステップＳ３１２では、ガイダンス表示制御部１６３は、特定できた情報処理装置２００の有無を判定する。
ここで、特定できた情報処理装置２００が無い場合（ステップＳ３１２でＮｏ）、ステップＳ３００に戻り、情報処理装置２００の検出を行う。
他方で、特定できた情報処理装置２００が有る場合（ステップＳ３１２でＹｅｓ）、ガイダンス表示制御部１６３は、画像を投射中であるか、否かを判定する（ステップＳ３１４）。
【００６３】
ここで、画像は投射中であると判定した場合（ステップＳ３１４でＹｅｓ）、ガイダンス表示制御部１６３は、検出して特定できた情報処理装置２００の情報を、投射している画像に重畳してＯＳＤ表示させ（ステップＳ３１６）、処理を終了する。ここで、図４は、投射画像２８０に、検出して特定できた情報処理装置２００の情報を示すＯＳＤ画像２９０が重畳して投射された一例を示す。このように、ユーザーは、情報処理装置２００が所定の近距離内にあることを認知できる。
図３に戻り、他方で、画像は投射中でないと判定した場合（ステップＳ３１４でＮｏ）、ガイダンス表示制御部１６３は、ガイダンス情報決定処理を実行し（ステップＳ３２０）、決定したガイダンス情報に含まれるガイダンス画像を投射により表示させ（ステップＳ３３０）、処理を終了する。
【００６４】
次に、ガイダンス情報決定処理の詳細を説明する。図５は、ガイダンス情報決定処理を示すフローチャートである。
この処理が開始されると、ガイダンス表示制御部１６３は、情報処理装置２００の応答信号から、プロジェクター１００と情報処理装置２００とが接続可能な無線接続方式は複数あるか、否かを判定する（ステップＳ３２２）。
ここで、情報処理装置２００との無線接続方式は１つであると判定した場合（ステップＳ３２２でＮｏ）、ガイダンス表示制御部１６３は、接続可能な無線接続方式のガイダンス情報を記憶部１７０のガイダンスデータ１７２から読み出し、読み出したガイダンス情報に含まれるガイダンス画像を投射して表示し（ステップＳ３２６）、処理を終了する。
【００６５】
他方で、情報処理装置２００との無線接続方式は複数あると判定した場合（ステップＳ３２２でＹｅｓ）、ガイダンス表示制御部１６３は、接続履歴を記憶部１７０の接続履歴データ１７４から読み出し、接続履歴が無い情報処理装置２００が存在するか、否かを判定する（ステップＳ３２４）。
ここで、接続履歴が無い情報処理装置２００が存在しないと判定した場合（ステップＳ３２４でＮｏ）、ガイダンス表示制御部１６３は、前回接続した無線接続方式のように、接続履歴が新しい無線接続方式のガイダンス情報を記憶部１７０のガイダンスデータ１７２から読み出し、読み出したガイダンス情報に含まれるガイダンス画像を投射して表示し（ステップＳ３２８）、処理を終了する。
【００６６】
他方で、接続履歴が無い情報処理装置２００が存在すると判定した場合（ステップＳ３２４でＹｅｓ）、ガイダンス表示制御部１６３は、接続履歴が無い無線接続方式のガイダンス情報を記憶部１７０のガイダンスデータ１７２から読み出し、読み出したガイダンス情報に含まれるガイダンス画像を投射して表示し（ステップＳ３２５）、処理を終了する。
尚、複数の情報処理装置２００において接続履歴が無い無線接続方式が複数存在する場合、ガイダンス表示制御部１６３は、情報処理装置２００が対応する数が最も多い無線接続方式のガイダンス情報を投射対象としても良い。また、複数の情報処理装置２００において接続履歴が無い無線接続方式が各１つ存在する場合、ガイダンス表示制御部１６３は、全ての情報処理装置２００において対応する数が最も多い無線接続方式のガイダンス情報を投射対象としても良い。
【００６７】
以上述べた実施形態によれば、以下のような効果を奏する。
（１）プロジェクター１００は、第１通信部１８０においての無線通信を介して接続可能な情報処理装置２００の検出を行い、情報処理装置２００を検出すると、検出した情報処理装置２００と接続するために必要な操作を含むガイダンス画像を画像投射部５０に投射させる。これにより、ユーザーは、投射されたガイダンス画像に従って情報処理装置２００と接続するために必要な操作を行えるため、プロジェクター１００と情報処理装置２００との接続を容易かつ迅速に行うことができ、利便性が向上する。
（２）プロジェクター１００は、第１通信部１８０が所定の距離内に情報処理装置２００を検出した場合、ガイダンス画像を投射する。従って、所定の距離内にある情報処理装置２００に応じたガイダンス画像を適切に表示することができる。
【００６８】
（３）プロジェクター１００は、過去に接続したことがある情報処理装置２００を検出した場合、ガイダンス画像を表示させることができる。
（４）プロジェクター１００は、検出した情報処理装置２００との接続履歴に応じてガイダンス画像を表示させることができる。
（５）プロジェクター１００は、検出した情報処理装置２００を登録している場合にガイダンス画像を表示させることができる。
（６）プロジェクター１００は、検出した情報処理装置２００と所定の接続方式で接続する場合、ガイダンス画像を表示させることができる。
【００６９】
（７）プロジェクター１００は、画像投射部５０が画像を既に投射している場合には、ガイダンス画像を更に投射させないことができる。
（８）プロジェクター１００は、投射している画像の表示状態に応じてガイダンス画像を表示できるため、画像投射部５０で投射する画像の表示を最適化できる。
（９）プロジェクター１００は、接続した情報処理装置２００から投射する画像のデータを取得できる。
【００７０】
以上、本発明を図示した実施形態に基づいて説明したが、本発明は、本実施形態に限定されるものではなく、以下に述べるような変形例も想定できる。
（１）プロジェクター１００は、液晶ライトバルブを用いた方式には限定されず、ＤＬＰ（Ｄｉｇｉｔａｌ  Ｌｉｇｈｔ  Ｐｒｏｃｅｓｓｉｎｇ）方式やＬＣＯＳ（Ｌｉｑｕｉｄ  Ｃｒｙｓｔａｌ  Ｏｎ  Ｓｃｒｅｅｎ）方式等の他の方式も想定できる。
（２）表示装置はプロジェクター１００には限定されない。例えば、液晶ディスプレイや有機ＥＬディスプレイやヘッドマウントディスプレイ等のような直視の表示装置であってもよい。
（３）ガイダンスデータ１７２は記憶部１７０に予め記憶されている態様には限定されない。例えば、第２通信部１８５がインターネット等を介して外部のデータベースからガイダンス情報を取得しても良い。
【符号の説明】
【００７１】
５…リモコン、６…操作指示ボタン、１０…画像表示システム、５０…画像投射部、５５…光源部、８０…光変調部、９０…投射光学系、１００…プロジェクター、１２１…光源駆動部、１２２…光変調駆動部、１３１…操作パネル、１３２…リモコン受光部、１３３…操作処理部、１４０…状態検出部、１４２…カメラ、１５２…画像処理部、１５５…フレームメモリー、１５８…ＯＳＤ処理部、１６０…制御部、１６１…投射制御部、１６３…ガイダンス表示制御部、１７０…記憶部、１７２…ガイダンスデータ、１７４…接続履歴データ、１８０…第１通信部、１８５…第２通信部、１８８…内部バス、１９０…電源部、１９５…外部の電源、２００…情報処理装置、２１０…第１通信部、２１５…第２通信部、２２０…制御部、２２２…指示受付部、２２４…投射画像生成部、２３０…記憶部、２４０…タッチパネル、２５０…ネットワーク、２６０…電波、２７０…電波、２８０…投射画像、２９０…ＯＳＤ画像、ＳＣ…スクリーン、Ｌ１…出射光、Ｌ２…画像光。
【図１】
2019041250.tif 000003
【図２】
2019041250.tif 000004
【図３】
2019041250.tif 000005
【図４】
2019041250.tif 000006
【図５】
2019041250.tif 000007